(57)【要約】【課題】簡易な構成によって、前席ディスプレイと後席ディスプレイとに異なる画面を表示できる車載用画像表示システムを提供すること。【解決手段】本車載用画像表示システムでは、カーナビゲーション装置３と後席表示装置４とが、それぞれに描画ＩＣを備える。また、カーナビゲーション装置３はＴＶチューナ１、ＤＶＤプレーヤ２と接続されており、後席表示装置４から要求信号を取得すると、これに対応する画像データを専用線６を介して後席表示装置４へと転送する。後席表示装置４は、カーナビゲーション装置３から受信した画像データを、描画ＩＣ４２によって画像信号に変換して表示する。これにより、カーナビゲーション装置３の内部に後席表示装置４のための描画ＩＣを設けることなく、簡易な構成で、カーナビゲーション装置３と後席表示装置４に異なる表示画面の映像を表示することが可能となる。【選択図】      図１
2005199998.tif 000002
【特許請求の範囲】
【請求項１】
表示画面を有し、車両に搭載された複数の機器の各々から出力される画像データを取得して当該表示画面に表示する、単一のメイン表示装置及び単数または複数のサブ表示装置からなる車載用画像表示システムであって、
前記メイン表示装置は、前記複数の機器の各々から出力される画像データのうち、前記メイン表示装置及び前記サブ表示装置の表示画面に表示すべき画像データを取得するとともに、前記サブ表示装置の表示画面に表示すべき画像データに関しては、前記サブ表示装置に転送するよう構成されるものであり、
前記メイン表示装置及び前記サブ表示装置に対して、各々の表示装置が有する表示画面に画像データの描画を行う描画手段を、それぞれ設けることを特徴とする車載用画像表示システム。
【請求項２】
前記メイン表示装置及び前記サブ表示装置の表示画面に表示すべき画像データを指定する指定手段を設け、
前記メイン表示装置は、前記複数の機器の各々から出力される画像データのうち、前記指定手段によって指定された画像データを取得することを特徴とする請求項１記載の車載用画像表示システム。
【請求項３】
前記指定手段は、前記複数の機器の各々から出力される画像データに関するメニュー画面を、前記メイン表示装置及び前記サブ表示装置の表示画面に表示させることを特徴とする請求項２記載の車載用画像表示システム。
【請求項４】
前記メイン表示装置と前記サブ表示装置とを結ぶ通信ラインを設け、
前記メイン表示装置は、前記通信ラインを利用して、前記サブ表示装置へと画像データを転送することを特徴とする請求項１から請求項３のいずれかに記載の車載用画像表示システム。
【請求項５】
前記指定手段は、前記サブ表示装置の表示画面に前記メニュー画面を表示させる際、前記通信ラインを利用して、前記メニュー画面の画像データを前記サブ表示装置へと送信することを特徴とする請求項４記載の車載用画像表示システム。
【請求項６】
前記複数の機器の各々は、前記車載用画像表示システムが搭載される車両の車内ＬＡＮに接続されるものであり、
前記車内ＬＡＮを介して、前記複数の機器の各々を操作する操作手段を設けることを特徴とする請求項１から請求項５のいずれかに記載の車載用画像表示システム。
【請求項７】
前記複数の機器としては、少なくとも、車両用ナビゲーション装置、ＴＶチューナ、ＤＶＤプレーヤの２つ以上の機器を含むことを特徴とする請求項１から請求項６のいずれかに記載の車載用画像表示システム。
【請求項８】
前記メイン表示装置は、前記複数の機器の１つである、前記車両用ナビゲーション装置に組み込まれて動作することを特徴とする請求項１から請求項７のいずれかに記載の車載用画像表示システム。
【請求項９】
前記メイン表示装置と前記サブ表示装置に対し、音声を出力する音声手段を設け、
前記メイン表示装置は、前記複数の機器のうち、画像データと共に音声データを出力する機器に関しては、当該機器から出力される音声データも取得し、当該画像データを表示すべき表示装置が有する音声手段へと出力することを特徴とする請求項１から請求項８のいずれかに記載の車載用画像表示システム。
【請求項１０】
前記メイン表示装置は、前記車載用画像表示システムが搭載される車両の前席周辺に設置され、前記サブ表示装置は、前記車両の後席周辺に設置されることを特徴とする請求項１から請求項９のいずれかに記載の車載用画像表示システム。
【請求項１１】
車両に搭載された複数の機器の各々から出力される画像データを取得して表示する第１及び第２の表示装置を備える車載用画像表示システムであって、
前記第１および第２の表示装置は、それぞれ、表示器と、取得した画像データを記憶する記憶手段と、記憶手段に記憶された画像データに基づいて、前記表示器に対する表示制御信号を生成する表示制御手段とを備え、
前記第１および第２の表示装置の間を接続し、前記画像データに関する信号を専ら通信する専用の通信ラインを備えることを特徴とする車載用画像表示システム。
【請求項１２】
前記第１の表示装置側に設けられ、前記複数の機器からの画像データを入力するとともに、前記第１の表示装置及び前記第２の表示装置へ出力すべき画像データを選択して、それぞれ出力する第１選択回路を備え、
前記第１選択回路は、前記第２の表示装置へ出力すべき画像データを、前記通信ラインに向けて出力することを特徴とする請求項１１に記載の車載用画像表示システム。
【請求項１３】
前記第１の選択回路から出力される画像データと、前記第１の表示装置の表示制御手段から出力される表示制御信号とを入力して、いずれか一方を選択して、前記通信ラインを介して前記第２の表示装置に出力する第２の選択回路を備えることを特徴とする請求項１２に記載の車載用画像表示システム。
【請求項１４】
前記第１及び第２の表示装置と前記複数の機器の各々は、前記車載用画像表示システムが搭載される車両の車内ＬＡＮに接続され、
前記第１及び第２の表示装置は、前記車内ＬＡＮを介して、前記複数の機器の各々に操作信号を出力することを特徴とする請求項１１から請求項１３のいずれかに記載の車載用画像表示システム。
【請求項１５】
前記第１及び第２の表示装置は、前記複数の機器の各々から出力される画像データに関するメニュー画面を表示し、当該メニュー画面上において選択された、画像データを提供する機器に対して、前記操作信号を出力することを特徴とする請求項１４に記載の車載用画像表示システム。
【請求項１６】
前記第１の表示装置は、前記メニュー画面を記憶する画面記憶装置を備え、前記通信ラインを介して前記メニュー画面を第２の表示装置に送信することを特徴とする請求項１５に記載の車載用画像表示システム。
【請求項１７】
前記第１及び第２の表示装置と前記複数の機器の各々は、前記車載用画像表示システムが搭載される車両の車内ＬＡＮに接続され、
前記第１及び第２の表示装置は、前記車内ＬＡＮを介して、前記複数の機器の各々から画像データを取得するものであって、
第１及び第２の表示装置が共通の機器から取得した画像データを表示する際、一方の表示装置の表示制御手段が、他方の表示装置の表示制御手段へと前記通信ラインを介して前記画像データに基づく前記表示制御信号を送信することを特徴とする請求項１１に記載の車載用画像表示システム。
【請求項１８】
前記第１及び第２の表示装置は、前記車内ＬＡＮを介して、前記複数の機器の各々に操作信号を出力することを特徴とする請求項１７に記載の車載用画像表示システム。
【請求項１９】
前記第１及び第２の表示装置は、前記複数の機器の各々から出力される画像データに関するメニュー画面を表示し、当該メニュー画面上において選択された、画像データを提供する機器に対して、前記操作信号を出力することを特徴とする請求項１８に記載の車載用画像表示システム。
【請求項２０】
前記第１の表示装置は、前記メニュー画面を記憶する画面記憶装置を備え、前記通信ラインを介して前記メニュー画面を第２の表示装置に送信することを特徴とする請求項１９に記載の車載用画像表示システム。
【請求項２１】
前記第１及び第２の表示装置は、前記メニュー画面を記憶する画面記憶装置をそれぞれ備えることを特徴とする請求項２０に記載の車載用画像表示システム。
【発明の詳細な説明】
【技術分野】
【０００１】
本発明は、車両に搭載された複数の機器の各々から出力される画像を表示する車載用画像表示システムに関する。
【背景技術】
【０００２】
近年、車両の前席周辺だけでなく、後座周辺にもディスプレイを搭載する車両が普及しつつあり、公知のシステムとして、車両前席の乗員に加え、後席の乗員も、車載機器から出力される画像を楽しめる車載用画像表示システムがある。
【０００３】
前述のシステムの一例として、ＴＶチューナ等から出力される画像データを表示する、車両の前席周辺に設けられた前席ディスプレイと、前席ディスプレイに接続され、当該ディスプレイに表示された画像データを取得して表示する、車両の後席周辺に設けられた後席ディスプレイとからなるシステムが考えられる。このシステムでは、ユーザーがＴＶチューナ等を操作し、前席ディスプレイに画像表示させると、その画像データが前席ディスプレイを介して後席ディスプレイにも出力される。こうして、前席の乗員だけでなく、後席の乗員も、ＴＶチューナ等から出力される画像を楽しめるのである。
【発明の開示】
【発明が解決しようとする課題】
【０００４】
前述のシステムでは、後席ディスプレイは、前席ディスプレイから取得した画像データをそのまま表示するため、前席ディスプレイと後席ディスプレイとに異なる画面を表示することはできない。すなわち、前席ディスプレイでＴＶを鑑賞しながら、後席ディスプレイでＤＶＤを鑑賞するといったことはできないのである。これに対しては、前席ディスプレイの内部に後席ディスプレイ用の描画装置を設け、前席ディスプレイに表示する画像データと、後席ディスプレイに表示する画像データとを、各描画装置によって描画することで対応できる。しかしながら、この方法では、後席ディスプレイを設置するか否かにかかわらず、前席ディスプレイの内部に後席ディスプレイ用の描画装置を設けることになり、前席ディスプレイの構造が複雑化するとともに、設計面やコスト面からも好ましくない。
【０００５】
本発明は、上記の問題に鑑みてなされたものであり、簡易な構成によって、前席ディスプレイと後席ディスプレイとに異なる画面を表示できる車載用画像表示システムの提供を目的とする。
【課題を解決するための手段】
【０００６】
上記目的を達成するために、請求項１に記載の車載用画像表示システムは、表示画面を有し、車両に搭載された複数の機器の各々から出力される画像データを取得して当該表示画面に表示する、単一のメイン表示装置及び単数または複数のサブ表示装置からなる車載用画像表示システムであって、メイン表示装置は、複数の機器の各々から出力される画像データのうち、メイン表示装置及びサブ表示装置の表示画面に表示すべき画像データを取得するとともに、サブ表示装置の表示画面に表示すべき画像データに関しては、サブ表示装置に転送するよう構成されるものであり、メイン表示装置及びサブ表示装置に対して、各々の表示装置が有する表示画面に画像データの描画を行う描画手段を、それぞれ設けることを特徴とする。
【０００７】
このように、本発明の車載用画像表示システムは、メイン表示装置は、車両に搭載された複数の機器の各々から出力される画像データのうち、メイン表示装置及びサブ表示装置の表示画面に表示すべき画像データを取得するとともに、サブ表示装置の表示画面に表示すべき画像データに関しては、これをサブ表示装置へと転送するよう構成される。そして、メイン表示装置及びサブ表示装置に対して、当該表示装置が有する表示画面に画像データの描画を行う描画手段が、それぞれ設けられる。これにより、メイン表示装置の内部にサブ表示装置のための描画手段を設けることなく、簡易な構成で、メイン表示装置とサブ表示装置に異なる画面を表示することができる。また、設計面やコスト面からも好ましい。
【０００８】
請求項２に記載のように、メイン表示装置及びサブ表示装置の表示画面に表示すべき画像データを指定する指定手段を設け、メイン表示装置は、複数の機器の各々から出力される画像データのうち、指定手段によって指定された画像データを取得することが望ましい。これにより、ユーザーはメイン表示装置及びサブ表示装置の表示画面の映像を、指定手段を利用して容易に切り換えることが可能となる。
【０００９】
請求項３に記載のように、指定手段は、複数の機器の各々から出力される画像データに関するメニュー画面を、メイン表示装置及びサブ表示装置の表示画面に表示させることが望ましい。これにより、ユーザーはメイン表示装置及びサブ表示装置の表示画面に表示されたメニュー画面を見ながら、表示すべき画像データを確実に指定することができる。
【００１０】
請求項４に記載のように、メイン表示装置とサブ表示装置とを結ぶ通信ラインを設け、メイン表示装置は、通信ラインを利用して、サブ表示装置へと画像データを転送することが望ましい。前述の通信ラインを利用することで、メイン表示装置からサブ表示装置への画像データの送信を、より高速に行うことが可能となる。
【００１１】
請求項５に記載のように、指定手段は、サブ表示装置の表示画面にメニュー画面を表示させる際、通信ラインを利用して、メニュー画面の画像データをサブ表示装置へと送信することが望ましい。指定手段がメニュー画面の画像データをサブ表示装置へと送信する際にも、前述の通信ラインを利用することで、高速に送信することができる。
【００１２】
請求項６に記載のように、複数の機器の各々は、車載用画像表示システムが搭載される車両の車内ＬＡＮに接続されるものであり、車内ＬＡＮを介して、複数の機器の各々を操作する操作手段を設けることが望ましい。これにより、より簡易な構成で、複数の機器の各々を操作することが可能となる。
【００１３】
請求項７に記載のように、複数の機器としては、少なくとも、車両用ナビゲーション装置、ＴＶチューナ、ＤＶＤプレーヤの２つ以上の機器を含むことが望ましい。これらの機器は車両に搭載されることが多く、かつ、２つ以上の機器が同時に使用されることが多いためである。
【００１４】
請求項８に記載のように、メイン表示装置は、複数の機器の１つである、車両用ナビゲーション装置に組み込まれて動作することが望ましい。これにより、車両用ナビゲーション装置の有する表示画面や通信機能を、メイン表示装置として利用することができ、システムの構成をより簡素化することができる。
【００１５】
請求項９に記載のように、メイン表示装置とサブ表示装置に対し、音声を出力する音声手段を設け、メイン表示装置は、複数の機器のうち、画像データと共に音声データを出力する機器に関しては、当該機器から出力される音声データも取得し、当該画像データを表示すべき表示装置が有する音声手段へと出力することが望ましい。これにより、メイン表示装置及びサブ表示装置は、当該機器から出力される画像を表示するとともに、音声出力も行うことが可能となる。
【００１６】
請求項１０に記載のように、メイン表示装置は、車載用画像表示システムが搭載される車両の前席周辺に設置され、サブ表示装置は、車両の後席周辺に設置されることが望ましい。これにより、例えば車両の後席に乗員がいない場合など、サブ表示装置の電源を落とし、メイン表示装置のみを動作させることも可能である。
【００１７】
また、請求項１１に記載の車載用画像表示システムは、車両に搭載された複数の機器の各々から出力される画像データを取得して表示する第１及び第２の表示装置を備える車載用画像表示システムであって、
第１及び第２の表示装置は、それぞれ、表示器と、取得した画像データを記憶する記憶手段と、記憶手段に記憶された画像データに基づいて、表示器に対する表示制御信号を生成する表示制御手段とを備え、
第１および第２の表示装置の間を接続し、画像データに関する信号を専ら通信する専用の通信ラインを備えることを特徴とする。
【００１８】
上述したように、第１及び第２の表示装置が、それぞれ表示器に画像を表示させるための構成である、記憶手段や表示制御手段などを備える。このため、いずれかの表示装置を設置しない場合に、設置する一の表示装置は、自身の画像表示のための最小限の構成を有するだけである。従って、複数の表示装置を設置する場合、及び唯１つの表示装置を設置する場合とも、システムの構成を最適化することができる。
【００１９】
さらに、第１及び第２の表示装置間に画像データに関する信号を専ら通信する専用の通信ラインを設けることにより、画像信号の送信を高速に行うことができる。このため、例えば、各機器の操作を行うためのメニュー画面を送信する場合など、素早く表示することができるので、ユーザーの使い勝手の悪化を防止できる。
【００２０】
請求項１２に記載したように、第１の表示装置側に設けられ、複数の機器からの画像データを入力するとともに、第１の表示装置及び前記第２の表示装置へ出力すべき画像データを選択して、それぞれ出力する第１選択回路を備え、この第１選択回路は、第２の表示装置へ出力すべき画像データを、通信ラインに向けて出力することが好ましい。これにより、第１及び第２の表示装置において、それぞれ別個の画像データに基づく表示を行うことができる。また、画像データは、概してデータ量が多いが、複数の機器から画像データを直接入力する第１選択回路を設けることにより、大量のデータも遅れなく取得することができる。
【００２１】
請求項１３に記載したように、第１の選択回路から出力される画像データと、第１の表示装置の表示制御手段から出力される表示制御信号とを入力して、いずれか一方を選択して、通信ラインを介して第２の表示装置に出力する第２の選択回路を備えることが好ましい。これにより、第１及び第２の表示装置において、共通の画像データに基づく表示を行う際には、第１の表示装置の表示制御手段から出力される表示制御信号を利用することが可能になる。
【００２２】
請求項１４に記載したように、第１及び第２の表示装置と複数の機器の各々は、車載用画像表示システムが搭載される車両の車内ＬＡＮに接続され、第１及び第２の表示装置は、車内ＬＡＮを介して、複数の機器の各々に操作信号を出力することが好ましい。これにより、各表示装置と複数の機器との接続を複雑化することなく、複数の機器の各々を操作することが可能となる。
【００２３】
請求項１５に記載したように、第１及び第２の表示装置は、複数の機器の各々から出力される画像データに関するメニュー画面を表示し、当該メニュー画面上において選択された、画像データを提供する機器に対して、操作信号を出力することが好ましい。これにより、ユーザーは第１及び第２の表示装置の表示器に表示されたメニュー画面を見ながら、表示させるべき画像データを確実に選択することができる。
【００２４】
請求項１６に記載したように、第１の表示装置は、メニュー画面を記憶する画面記憶装置を備え、通信ラインを介してメニュー画面を第２の表示装置に送信することが好ましい。これにより、第１及び第２の表示装置のメニュー画面の画面記憶装置を共通化することができる。なお、第１の表示装置は、第２の表示装置用のメニュー画面を専用の通信ラインを介して第２の表示装置に送信するので、第２の表示装置は、メニュー画面を即座に表示することができる。従って、ユーザーの使い勝手の悪化を防止できる。
【００２５】
請求項１７に記載したように、第１及び第２の表示装置と複数の機器の各々は、車載用画像表示システムが搭載される車両の車内ＬＡＮに接続され、第１及び第２の表示装置は、車内ＬＡＮを介して、複数の機器の各々から画像データを取得するものであって、
第１及び第２の表示装置が共通の機器から取得した画像データを表示する際、一方の表示装置の表示制御手段が、他方の表示装置の表示制御手段へと通信ラインを介して画像データに基づく表示制御信号を送信することも可能である。すなわち、画像データは、上述した請求項１２のように第１の選択回路を設けて、複数の機器から直接取得する以外に、車内ＬＡＮを介して取得することもできる。この場合、第１及び第２の表示装置において、共通の機器から取得した画像データを表示する場合には、一方の表示装置の表示制御手段が生成する表示制御信号を利用することで、効率的に表示を行なうことができる。
【００２６】
請求項１７に記載の車載用画像表示システムの場合においても、各表示装置と複数の機器との接続の複雑化を避けるために、請求項１８に記載したように、第１及び第２の表示装置は、車内ＬＡＮを介して、複数の機器の各々に操作信号を出力することが好ましい。
【００２７】
さらに、第１及び第２の表示装置が複数の機器の各々に操作信号を出力する場合、請求項１９に記載したように、第１及び第２の表示装置が、複数の機器の各々から出力される画像データに関するメニュー画面を表示し、当該メニュー画面上において選択された画像データを提供する機器に対して、操作信号を出力するようにすれば、所望の機器からの画像データの表示を容易かつ確実に行わせることができる。
【００２８】
メニュー画面については、請求項２０に記載したように、第１の表示装置が、メニュー画面を記憶する画面記憶装置を備え、通信ラインを介してメニュー画面を第２の表示装置に送信するように構成しても良いし、請求項２１に記載したように、第１及び第２の表示装置が、それぞれメニュー画面を記憶する画面記憶装置を備えるように構成しても良い。
【発明を実施するための最良の形態】
【００２９】
（第１実施形態）
図１は、本発明の一実施形態における車載用画像表示システムの全体構成を示すブロック図である。本実施形態の車載用画像表示システムは、車両に搭載された映像機器に接続されて動作する。
【００３０】
はじめに、本車載用画像表示システムにおける各機器の概要について説明する。
【００３１】
図１に示すように、本車載用画像表示システムでは、前席ディスプレイとしてカーナビゲーション装置３を用い、後席ディスプレイとして後席表示装置４を用いる。前述の２つの装置と、ＴＶチューナ１及びＤＶＤプレーヤ２とは、本車載用画像表示システムが搭載される車両の車内ＬＡＮ５を介して接続され、当該車内ＬＡＮ５を利用して、操作信号や要求信号、音声データ等の送受信が行われる。車内ＬＡＮ５を利用することで、操作信号や要求信号、音声データ等を簡易な構成で送受信できるのである。また、カーナビゲーション装置３は、専用線６を介して後席表示装置４と接続されており、ＴＶチューナ１及びＤＶＤプレーヤ２から出力される画像データを取得するとともに、取得した画像データを専用線６を介して後席表示装置４へと転送する。
【００３２】
次に、本車載用画像表示システムに接続されるＴＶチューナ１及びＤＶＤプレーヤ２について、詳細に説明する。
【００３３】
ＴＶチューナ１は、図示しない検波・増幅回路、画像データ生成回路、音声データ生成回路、及びこれらを制御する制御回路から構成される。そして、公知のように、検波・増幅回路によって車外から受信したＴＶ電波の検波・増幅を行い、画像データ生成回路及び音声データ生成回路によって、設定されたチャンネルのＴＶ画像データ及びＴＶ音声データを生成する。生成されたＴＶ画像データ及びＴＶ音声データは、カーナビゲーション装置３へと出力される。さらに、ＴＶチューナ１は、車内ＬＡＮ５を介して、カーナビゲーション装置３または後席表示装置４から選局信号を取得すると、取得した選局信号に対応するチャンネルに変更する。
【００３４】
ＤＶＤプレーヤ２は、図示しないデータ読取回路、画像データ生成回路、音声データ生成回路、及びこれらを制御する制御回路から構成される。そして、公知のように、データ読取回路によってＤＶＤ媒体に記憶されたディジタルデータを読み取るとともに、画像データ生成回路及び音声データ生成回路によってＤＶＤ画像データ及びＤＶＤ音声データを生成する。生成されたＤＶＤ画像データ及びＤＶＤ音声データは、カーナビゲーション装置３へと出力される。さらに、ＤＶＤプレーヤ２は、車内ＬＡＮ５を介して、カーナビゲーション装置３または後席表示装置４から操作信号を取得すると、取得した操作信号に応じて、ＤＶＤ媒体に記憶された映像の再生や早送り等を行う。
【００３５】
次に、前席ディスプレイであるカーナビゲーション装置３の各部について、詳細に説明する。
【００３６】
外部入力回路３１は、図示しない複数の画像入力端子及び音声入力端子から構成され、ＴＶチューナ１及びＤＶＤプレーヤ２の図示しない画像出力端子及び音声出力端子と、図示しない通信ラインによってそれぞれ接続される。そして、ＴＶチューナ１から出力されるＴＶ画像データ及びＴＶ音声データ、ＤＶＤプレーヤ２から出力されるＤＶＤ画像データ及びＤＶＤ音声データを、前述の通信ラインを介して取得する。なお、これらのデータに関しては、無線通信によって取得することとしても良い。
【００３７】
タッチディスプレイ３２は、図示しない信号入力回路、液晶表示パネル、及び接触型のタッチスイッチから構成され、信号入力回路から入力した画像信号に従って、液晶表示パネルに画像を表示する。その際には、表示画面をナビゲーション画面に切り換えるナビ画面切換ボタン、ＴＶ画面に切り換えるＴＶ画面切換ボタン、ＤＶＤ画面に切り換えるＤＶＤ画面切換ボタンも併せて表示する。さらに、ＴＶチューナ１のチャンネルを選局する選局ボタンや、ＤＶＤプレーヤ２の再生・停止等を行う操作ボタンを含むメニュー画面へと表示画面を切り換えるための、メニュー画面切換ボタンも表示する。なお、メニュー画面としては、ナビゲーション装置３における各種機能の設定や、目的地を選択するためのナビメニュー画面も表示可能である。
【００３８】
また、タッチディスプレイ３２は、ユーザーがタッチスイッチにタッチすると、当該タッチ位置を示すタッチ位置信号を出力する。これにより、ユーザーはタッチするだけで、表示画面の切り換えや各種操作を容易に行えるのである。なお、画像の表示に関しては、小型のＣＲＴディスプレイを用いることとしても良いし、車両のフロントガラスに画像表示を行う車載用ヘッドアップディスプレイ等を用いることとしても良い。また、画面の切換や各種操作に関しては、リモコン等を用いることとしても良い。
【００３９】
画像データ記憶装置３３は、例えばハードディスクからなり、道路情報、建造物情報、各地域の住所情報や郵便番号情報などを含む地図情報や、ナビゲージョン画像データ（以下、ナビ画像データとする）を生成するための地図画像データを記憶する。また、ＴＶチューナ１のチャンネルを選局する選局ボタンや、ＤＶＤプレーヤ２の再生・停止等を行う操作ボタンを含むメニュー画面の画像データ（以下、メニュー画面データとする）を記憶する。なお、これらのデータに関しては、ＤＶＤ−ＲＯＭ等に記憶することとしても良い。また、メニュー画面については、各機器ごとに独立したメニュー画面を用意し、画像データ記憶装置３３に記憶させても良い。
【００４０】
音声出力装置３４は、図示しない音声データ入力回路及び音声変換回路とを備え、音声データ入力回路から入力された音声データを音声変換回路によって音声に変換し、図示しないスピーカから出力する。なお、音声の出力に関しては、ヘッドホン等を利用することとしても良い。
【００４１】
描画ＩＣ３５は、図２に示すように、画像データに基づいてタッチディスプレイ３２に画像を表示するための画像信号を生成する表示コントローラ５１を備え、後述するＣＰＵ３６から取得した各画面表示命令に従って、タッチディスプレイ３２への画像描画および画面切換を行う。
【００４２】
具体的には、ＣＰＵ３６からナビ画面表示命令を取得すると、表示コントローラ５１は、第一選択回路５０を介して、図示しない位置検出器の検出結果に基づき、自車位置周辺の地図画像データを画像データ記憶装置３３から読み出すとともに、これに自車位置マークを重ねたナビ画像データを生成して、ビデオメモリ５２に保存する。そして、ビデオメモリ５２に保存したナビ画像データに基づいて画像信号を生成して、タッチディスプレイ３２に出力（描画）する。なお、第一選択回路５０は、ＣＰＵ３６からの画面表示命令及び画面送信命令に応じて、カーナビゲーション装置３のタッチディスプレイ３２に表示すべき画像データを選択して、表示コントローラ５１に出力するとともに、後席表示装置４において表示すべき画像データを選択して、第二選択回路５３に出力する。第二選択回路５３は、ＣＰＵ３６からの画面送信命令に応じて、カーナビゲーション装置３の表示コントローラ５１によって生成された画像信号と、第１選択回路５０によって選択された画像データとの一方を選択して、専用線６を介して後席表示装置４へ送信する。
【００４３】
例えば、ＣＰＵ３６からＴＶ画面表示命令もしくはＤＶＤ画面表示命令が出力された場合、描画ＩＣ３５は、外部入力回路３１からＴＶ画像データもしくはＤＶＤ画像データを取得し、これを画像信号に変換してタッチディスプレイ３２へと出力する。また、ＣＰＵ３６からメニュー画面表示命令を取得すると、描画ＩＣ３５は画像データ記憶装置３３からメニュー画面データを読み出し、画像信号に変換してタッチディスプレイ３２へと出力する。
【００４４】
さらに、ＣＰＵ３６からナビ画像送信命令、ＴＶ画像送信命令、ＤＶＤ画像送信命令、メニュー画面送信命令のいずれかが出力された場合、描画ＩＣ３５は、出力された送信命令に対応する画像データ（ナビ画像データ、ＴＶ画像データ、ＤＶＤ画像データ、メニュー画面データのいずれか）を第１選択回路５０を介して取得し、さらに第２選択回路５３から専用線６を介して後席表示装置４へと転送する。
【００４５】
ＣＰＵ３６は、公知のコンピュータから構成され、タッチディスプレイ３２から出力されるタッチ位置信号と、描画ＩＣ３５がタッチディスプレイ３２に描画中の画像データとから、タッチされたボタンを判別し、これに応じた命令を描画ＩＣ３５に出力する。
【００４６】
具体的には、ナビ画面に切り換えるナビ画面切換ボタン、ＴＶ画面に切り換えるＴＶ画面切換ボタン、ＤＶＤ画面に切り換えるＤＶＤ画面切換ボタン、メニュー画面に切り換えるメニュー画面切換ボタンのいずれかがタッチされると、タッチされたボタンに対応する画面（ナビ画面、ＴＶ画面、ＤＶＤ画面、メニュー画面のいずれか）を、描画ＩＣ３５によってタッチディスプレイ３２に描画するものと判断する。そして、ナビ画面表示命令、ＴＶ画面表示命令、ＤＶＤ画面表示命令、メニュー画面表示命令のうち、タッチされた切換ボタンに対応する表示命令を描画ＩＣ３５へと出力し、タッチディスプレイ３２に表示される画面を切り換える。その際、ＣＰＵ３６は、当該画像データと共に出力される音楽データを取得し、音声出力装置３５へと出力する。また、タッチディスプレイ３２にメニュー画面が表示されている際、ＴＶチューナ１のチャンネルを選局する選局ボタンや、ＤＶＤプレーヤ２の再生・停止等を行う操作ボタンがタッチされると、タッチされた選局ボタン及び操作ボタンに対応する選局信号及び操作信号を、車内ＬＡＮ５を介して、後述する通信ＩＣ３７へと出力する。
【００４７】
さらに、ＣＰＵ３６は、通信ＩＣ３７からナビ画面要求信号、ＴＶ画面要求信号、ＤＶＤ画面要求信号、メニュー画面要求信号のいずれかを取得した場合、取得した要求信号に対応する画面（ナビ画面、ＴＶ画面、ＤＶＤ画面、メニュー画面のいずれか）を、描画ＩＣ４２によってタッチディスプレイ４１に描画するものと判断する。そして、ＣＰＵ３６は、ナビ画面送信命令、ＴＶ画面送信命令、ＤＶＤ画面送信命令、メニュー画面送信命令のいずれかを描画ＩＣ３５へと出力する。描画ＩＣ３５は、取得した送信命令に対応する画像データを第１及び第２選択回路５０，５３によって後席表示装置４へと転送させる。また、ＣＰＵ３６は、当該画像データと共に出力される音楽データを取得し、車内ＬＡＮ５を介して後席表示装置４へと送信する。
【００４８】
通信ＩＣ３７は、車内ＬＡＮ５を介して後席表示装置４から受信したナビ画面要求信号、ＴＶ画面要求信号、ＤＶＤ画面要求信号、メニュー画面要求信号を、ＣＰＵ３６へ出力する。また、ＣＰＵ３６から取得した選局信号及び操作信号を、車内ＬＡＮ５を介して、ＴＶチューナ１及びＤＶＤプレーヤ２へと送信する。また、ＣＰＵ３６から取得した音楽データを、車内ＬＡＮ５を介して、後席表示装置４へと送信することも行う。
【００４９】
なお、前述のカーナビゲーション装置３は、カーナビゲーション装置としての機能に加え、前席ディスプレイとしても機能する。これは、前席ディスプレイとして個別の表示装置を設けず、システムの構成を簡素化するためである。
【００５０】
次に、後席ディスプレイである後席表示装置４の各部について、詳細に説明する。
【００５１】
タッチディスプレイ４１は、図示しない信号入力回路、液晶表示パネル、及び接触型のタッチスイッチから構成され、信号入力回路から入力した画像信号に従って、液晶表示パネルに画像を表示する。その際には、表示画面をナビゲーション画面に切り換えるナビ画面切換ボタン、ＴＶ画面に切り換えるＴＶ画面切換ボタン、ＤＶＤ画面に切り換えるＤＶＤ画面切換ボタンを併せて表示する。さらに、ＴＶ選局ボタンやＤＶＤ操作ボタンを含むメニュー画面へと表示画面を切り換えるための、メニュー画面切換ボタンも表示する。また、ユーザーがタッチスイッチにタッチすると、当該タッチ位置を示すタッチ位置信号を出力する。
【００５２】
描画ＩＣ４２は、図３に示すように、通信回路６０を介して取得した画像データに基づいて画像信号を生成したり、カーナビゲーション装置３の表示コントローラ５１によって生成された画像信号を受信した場合には、そのままタッチディスプレイ４１に出力する表示コントローラ６１を備える。なお、表示コントローラ６１はビデオメモリ６３を備え、カーナビゲーション装置３から専用線６を介してナビ画像データ、ＴＶ画像データ、ＤＶＤ画像データ、メニュー画面データが転送された場合には、それらの画像データをビデオメモリ６３に保存する。表示コントローラ６１は、保存された画像データに基づいて画像信号を生成して、タッチディスプレイ４１へと出力（描画）する。
【００５３】
音声出力装置４３は、図示しない音声データ入力回路及び音声変換回路とを備え、音声データ入力回路から入力された音声データを音声変換回路によって音声に変換し、図示しないスピーカから出力する。
【００５４】
ＣＰＵ４４は、公知のコンピュータから構成され、タッチディスプレイ４１から出力されるタッチ位置信号と、描画ＩＣ４２がタッチディスプレイ４１に描画中の画像データとから、タッチされたボタンを判別し、これに応じた要求信号を通信ＩＣ４５へ出力する。
【００５５】
具体的には、ナビ画面に切り換えるナビ画面切換ボタン、ＴＶ画面に切り換えるＴＶ画面切換ボタン、ＤＶＤ画面に切り換えるＤＶＤ画面切換ボタン、メニュー画面に切り換えるメニュー画面切換ボタンのいずれかがタッチされると、タッチされたボタンに対応する画面（ナビ画面、ＴＶ画面、ＤＶＤ画面、メニュー画面のいずれか）を、描画ＩＣ４２によってタッチディスプレイ４１に描画するものと判断する。そして、ナビ画面要求信号、ＴＶ画面要求信号、ＤＶＤ画面要求信号、メニュー画面要求信号のうち、タッチされた切換ボタンに対応する要求信号を通信ＩＣ４５へ出力し、各機器からカーナビゲーション装置３へと送信させる。また、タッチディスプレイ３２にメニュー画面が表示されている際、ＴＶチューナ１のチャンネルを選局する選局ボタンや、ＤＶＤプレーヤ２の再生・停止等を行う操作ボタンがタッチされると、タッチされた選局ボタン及び操作ボタンに対応する選局信号及び操作信号を、後述する通信ＩＣ４５へと出力する。さらに、ＣＰＵ４４は通信ＩＣ４５から取得した音楽データを音声出力装置４３へと出力する。
【００５６】
通信ＩＣ４５は、ＣＰＵ４４から取得したナビ画面要求信号、ＴＶ画面要求信号、ＤＶＤ画面要求信号、メニュー画面要求信号の各々を、車内ＬＡＮ５を介してカーナビゲーション装置３へと送信する。また、ＣＰＵ４４から取得した選局信号及び操作信号を、車内ＬＡＮ５を介して、ＴＶチューナ１及びＤＶＤプレーヤ２へと送信する。さらに、車内ＬＡＮ５を介してカーナビゲーション装置３から受信した音楽データを、ＣＰＵ４４へと送信する。
【００５７】
図４は、本実施形態の車載用画像表示システムにおいて、カーナビゲーション装置３のタッチディスプレイ３２における表示画面を切り換える処理に関するフローチャートである。本フローチャートの処理は、カーナビゲーション装置３のタッチディスプレイ３２に表示された、ナビ画面切換ボタン、ＴＶ画面切換ボタン、ＤＶＤ画面切換ボタン、メニュー画面切換ボタンのいずれかがタッチされると、実行される。
【００５８】
ステップ２０１では、ＣＰＵ３６は、タッチディスプレイ３２から出力されるタッチ位置情報、及び描画ＩＣ３４から取得した描画中の画像データから、いずれの切換ボタンがタッチされたかを判定する。ナビ画面切換ボタンがタッチされたと判定された場合は、ステップ２０２へ進み、ＴＶ画面切換ボタンがタッチされたと判定された場合は、ステップ２０３へ進む。ＤＶＤ画面切換ボタンの場合はステップ２０４へ進み、メニュー画面切換ボタンの場合はステップ２０５へ進む。
【００５９】
ステップ２０２では、ナビ画面表示命令を描画ＩＣ３４へ出力する。ステップ２０３では、ＴＶ画面表示命令を描画ＩＣ３４へ出力する。ステップ２０４では、ＤＶＤ画面表示命令を描画ＩＣ３４へ出力する。ステップ２０５では、メニュー画面表示命令を描画ＩＣ３４へ出力する。
【００６０】
ステップ２０６では、描画ＩＣ３４は、ステップ２０２〜２０５のいずれかで出力された表示命令に対応する画像データを取得し、これを画像信号に変換する。ステップ２０７では、ステップ２０６で変換された画像信号をタッチディスプレイ３２へ出力し、表示画面の切り換えを行う。これにより、ユーザーはタッチディスプレイ３２に表示されたナビ画面、ＴＶ画面、ＤＶＤ画面を鑑賞できるとともに、メニュー画面から所望の選局ボタンや操作ボタンを選択できる。
【００６１】
ステップ２０８では、ＣＰＵ３６は、ステップ２０６で取得した画像データと共に出力された音声データを取得し、これを音声出力装置３４へと送信して、音声の切り換えを行う。
【００６２】
図５は、本実施形態の車載用画像表示システムにおいて、後席表示装置４のタッチディスプレイ４１における表示画面を切り換える処理に関するフローチャートである。本フローチャートの処理は、後席表示装置４のタッチディスプレイ４１に表示された、ナビ画面切換ボタン、ＴＶ画面切換ボタン、ＤＶＤ画面切換ボタン、メニュー画面切換ボタンのいずれかがタッチされると、実行される。
【００６３】
ステップ３０１では、ＣＰＵ４４は、タッチディスプレイ４１から出力されるタッチ位置情報、及び描画ＩＣ４２から取得した描画中の画像データから、いずれの切換ボタンがタッチされたかを判定する。ナビ画面切換ボタンがタッチされたと判定された場合は、ステップ３０２へ進み、ＴＶ画面切換ボタンがタッチされたと判定された場合は、ステップ３０３へ進む。ＤＶＤ画面切換ボタンの場合はステップ３０４へ進み、メニュー画面切換ボタンの場合は、ステップ３０５へ進む。
【００６４】
ステップ３０２では、ナビ画面要求信号を通信ＩＣ４５へ出力する。ステップ３０３では、ＴＶ画面要求信号を通信ＩＣ４５へ出力する。ステップ３０４では、ＤＶＤ画面要求信号を通信ＩＣ４５へ出力する。ステップ３０５では、メニュー画面要求信号を通信ＩＣ４５へ出力する。
【００６５】
ステップ３０６では、通信ＩＣ４５は、ステップ３０２〜３０５のいずれかで出力された要求信号を、車内ＬＡＮ５を介してカーナビゲーション装置３へと送信し、ウェイトする。ステップ３０７では、描画ＩＣ４２は、カーナビゲーション装置３から専用線６を介して転送された画像データを取得し、これを画像信号に変換する。ステップ３０８では、変換された画像信号をタッチディスプレイ４１へと送信し、表示画面の切り換えを行う。
【００６６】
ステップ３０９では、ＣＰＵ４４は、カーナビゲーション装置３から車内ＬＡＮを介して転送された音声データを取得し、これを音声出力装置４３へと送信して、音声の切り換えを行う。
【００６７】
図６は、本実施形態の車載用画像表示システムにおいて、カーナビゲーション装置３が後席表示装置４へ画像データを転送する処理に関するフローチャートである。本フローチャートの処理は、カーナビゲーション装置３が後席表示装置４からの要求信号を受信すると実行される。
【００６８】
ステップ４０１では、ＣＰＵ３６は、通信ＩＣ３７から取得した要求信号がいずれの要求信号であるかを判定する。ナビ画面要求信号と判定された場合は、ステップ４０２へ進み、ＴＶ画面要求信号であると判定された場合は、ステップ４０３へ進む。ＤＶＤ画面要求信号の場合はステップ４０４へ進み、メニュー画面要求信号の場合はステップ４０５へ進む。
【００６９】
ステップ４０２では、ナビ画面送信命令を描画ＩＣ３５へ出力する。ステップ４０３では、ＴＶ画面送信命令を描画ＩＣ３５へ出力する。ステップ４０４では、ＤＶＤ画面送信命令を描画ＩＣ３５へ出力する。ステップ４０５では、メニュー画面送信命令を描画ＩＣ３５へ出力する。
【００７０】
ステップ４０６では、描画ＩＣ３５は、ステップ４０２〜４０５のいずれかで出力された送信命令に対応する画像データを取得し、専用線６を介して後席表示装置４へと送信する。専用線６を利用することで、カーナビゲーション装置３から後席表示装置４への、ナビ画像データ、ＴＶ画像データ、ＤＶＤ画像データの送信、及びメニュー画面の画像データの送信を、高速に行うことができる。
【００７１】
なお、カーナビゲーション装置３において表示中の画面と同じ画面の表示要求信号を受信した場合には、描画ＩＣ３５の表示コントローラ５３が生成した画像信号を第２選択回路５３を介して後席表示装置４へ送信する。この場合、後席表示装置４の表示コントローラ６１は、受信した画像信号をそのままタッチディスプレイ４１に出力することによって、要求された画面の表示を行う。
【００７２】
ステップ４０７では、ＣＰＵ３６は、ステップ４０６において画像データと共に出力された音声データを取得し、車内ＬＡＮ５を介して、後席表示装置４へと転送する。
【００７３】
図７は、本実施形態の車載用画像表示システムにおいて、カーナビゲーション装置３からＴＶチューナ１及びＤＶＤプレーヤ２を操作する処理に関するフローチャートである。本フローチャートの処理は、タッチディスプレイ３２に表示された各種のメニュー画面に含まれる、ＴＶチューナ１の選局ボタンやＤＶＤプレーヤ２の操作ボタンがタッチされると、実行が開始される。
【００７４】
ステップ５０１では、ＣＰＵ３６は、タッチディスプレイ３２から出力されるタッチ位置情報、及び描画ＩＣ３４によって描画中のメニュー画面データから、ＴＶチューナ１の選局ボタンや、ＤＶＤプレーヤ２の操作ボタンのうち、いずれのボタンがタッチされたかを判定する。ＴＶチューナ１の選曲ボタンがタッチされたと判定された場合には、ステップ５０２へ進む。ＤＶＤプレーヤ２の操作ボタンがタッチされたと判定された場合には、ステップ５０３へ進む。
【００７５】
ステップ５０２では、タッチされた選局ボタンに対応する選局信号を通信ＩＣ３７へ出力し、ＴＶチューナ１へと送信させる。ステップ５０３では、タッチされた操作ボタンに対応する操作信号を通信ＩＣ３７へ出力し、ＤＶＤプレーヤ２へと送信させる。
【００７６】
なお、ＴＶチューナ１及びＤＶＤプレーヤ２を後席表示装置４から操作する処理に関しては、前述のフローチャートにおける、タッチディスプレイ３２、描画ＩＣ３４、ＣＰＵ３６、通信ＩＣ３７を、後席表示装置４におけるタッチディスプレイ４１、描画ＩＣ４２、ＣＰＵ４４、通信ＩＣ４５と読み替えれば良いため、説明を省略する。また、メニュー画面は、上述した選局ボタンや操作ボタンのほか、ＴＶチューナー及びＤＶＤプレーヤ２を操作するためのその他のボタンを含んでも良いことはもちろんである。
【００７７】
このように、本実施形態の車載用画像表示システムでは、カーナビゲーション装置３と後席表示装置４とに、それぞれに描画ＩＣ３５，４２が設けられる。カーナビゲーション装置３は、ＴＶチューナ１及びＤＶＤプレーヤ２と接続されており、後席表示装置４から要求信号を取得すると、これに対応する画像データを後席表示装置４へと転送する。後席表示装置４は、カーナビゲーション装置３から受信した画像データを、描画ＩＣ４２によって画像信号に変換して描画する。これにより、カーナビゲーション装置３の内部に後席表示装置４のための描画ＩＣを設けることなく、簡易な構成で、カーナビゲーション装置３と後席表示装置４とに異なる表示画面を描画することができるとともに、設計面やコスト面からも好ましい。
【００７８】
さらに、画像データに関しては、専用線６を送信するので、概してデータ量が大きくなる画像データであっても高速に送信することができる。このため、カーナビゲーション装置３の画像データ記憶装置３３に記憶されたメニュー画面を、後席表示装置４に表示する場合であっても、その表示を素早く行うことができるので、ユーザーの使い勝手の悪化を防止できる。換言すれば、各種の操作ボタンがタッチ操作されるメニュー画面の場合、その表示画面の表示が完了されない限り、操作を行うことができない。従って、ユーザーがメニュー画面の表示を指示してから、その画面表示が完了するまでに長時間を要すると、ユーザーの使い勝手の悪化を招くのである。
【００７９】
（変形例１）
次に、本実施形態の変形例１について説明する。本変形例の車載用画像表示システムでは、後席ディスプレイが複数（２つ）ある点が、前述の実施形態と異なる。
【００８０】
図８は、本変形例における車載用画像表示システムの全体構成を示すブロック図である。
【００８１】
本変形例の後席表示装置Ａ７及び後席表示装置Ｂ８は、前述の実施形態における後席表示装置４の機能に加え、その各々を識別するための識別コードが記憶されている。この識別コードは、後席表示装置Ａ７及び後席表示装置Ｂ８がカーナビゲーション装置３と通信を行う際に送信される。
【００８２】
その他の構成・動作に関しては、前述の実施形態の場合と同様であるため、説明を省略する。
【００８３】
図９は、本変形例の車載用画像表示システムにおいて、後席表示装置Ａ７の図示しないタッチディスプレイの表示画面を切り換える処理に関するフローチャートである。本フローチャートの処理は、前述の図５のフローチャートにおいて、出力された要求信号を車内ＬＡＮ５を介してカーナビゲーション装置３へと送信し、ウェイトするステップに代えて、出力された要求信号を識別コードと共に、車内ＬＡＮ５を介してカーナビゲーション装置３へと送信し、ウェイトするステップを設ける。
【００８４】
前述の実施形態では、後席ディスプレイとして設けられていたのは後席表示装置４のみであった。しかしながら、本変形例では、後席ディスプレイとして後席表示装置Ａ７と後席表示装置Ｂ８の２つが設けられる。そのため、後席表示装置Ａ７がカーナビゲーション装置３へ要求信号を送信する際には、識別コードを付加して送信する必要がある。そうしないと、カーナビゲーション装置３は、取得した要求信号が後席表示装置Ａ７と後席表示装置Ｂ８のいずれから出力されたものであるかが判明せず、画像データを転送できなくなるためである。識別コードと共に要求信号を送信することで、このような事態を回避することができる。
【００８５】
なお、後席表示装置Ｂ８の図示しないタッチディスプレイの表示画面を切り換える処理に関しては、前述のフローチャートの処理と同様であるため、説明を省略する。
【００８６】
図１０は、本変形例の車載用画像表示システムにおいて、カーナビゲーション装置３が後席表示装置Ａ７及び後席表示装置Ｂ８へ画像データを転送する処理に関するフローチャートである。本フローチャートの処理は、前述の図６のフローチャートにおいて、出力された送信命令に対応する画像データを取得し、専用線６を介して、後席表示装置４へと送信するステップに代わり、出力された送信命令に対応する画像データを取得し、専用線６を介して、識別コードに該当する後席表示装置へと送信するステップを設ける。また、画像データと共に出力された音声データを取得し、車内ＬＡＮ５を介して、後席表示装置４へと転送するステップに代えて、画像データと共に出力された音声データを取得し、車内ＬＡＮ５を介して、識別コードに該当する後席表示装置へと転送するステップを設ける。
【００８７】
前述したように、本変形例では、後席ディスプレイとして後席表示装置Ａ７と後席表示装置Ｂ８の２つが設けられる。カーナビゲーション装置３は、取得した要求信号に付加された識別コードに対応する後席表示装置へと、画像データおよび音声データを送信するのである。
【００８８】
本実施形態および本変形例では、本システムに接続される車載機器として、カーナビゲーション装置３（前席ディスプレイと兼用）、ＴＶチューナ１、及びＤＶＤプレーヤ２とした。しかしながら、これ以外にも、映像を出力する機器であれば、本システムに接続して好適に用いることができる。また、表示画面を有する機器があれば、当該機器を後席ディスプレイと兼用させることもできる。この場合、後席ディスプレイと兼用した機器の画像データを取得する場合、前席ディスプレイが後席ディスプレイに要求信号を出力し、専用線６を介して転送される画像データを取得することとなる。
【００８９】
また、本変形例では、後席ディスプレイとして２個の後席表示装置を設けた。しかしながら、後席ディスプレイとして、３個以上の後席表示装置を設けても良い。この場合、各後席表示装置毎に、識別コードを記憶させる必要がある。また、後席ディスプレイを設けなくとも良い。これにより、後席のない車両にも、本システムを搭載して利用することができる。なお、本システムでは、例えば車両の後席に乗員がいない場合など、後席ディスプレイの電源を落とし、前席ディスプレイのみを動作させることも可能である。
【００９０】
（変形例２）
上述した実施形態では、カーナビゲーション装置３にのみ外部入力回路３１を設け、後席表示装置４にて要求された機器の画像データをカーナビゲーション装置３から転送するように構成された。しかしながら、後席表示装置４側にも映像機器からの画像データを入力する外部入力回路を設けても良い。すなわち、複数の映像機器が車両に搭載されている場合に、それらからの画像データの取得をカーナビゲーション装置３と後席表示装置４とで分担するように構成しても良い。この場合、前席側のカーナビゲーション装置３において表示すべき画像データが後席表示装置４に入力されている場合には、その画像データが後席表示装置４から専用線６を介してカーナビゲーション装置３に転送されることになる。
【００９１】
（第２実施形態）
次に、第２実施形態に係る車載用画像表示システムについて説明する。図１１は、本実施形態に係る車載用画像表示システムの全体構成を示すブロック図である。
【００９２】
図１１に示すように、本実施形態では、ＴＶチューナ１０１やＤＶＤプレーヤ１０２等の映像機器は、車内ＬＡＮ１０５のみに接続されている。すなわち、本実施形態では、表示装置である、カーナビゲーション装置１０３や後席表示装置１０４からの操作信号に加え、各映像機器からの画像データも車内ＬＡＮ１０５を介して送信される点が、前述した第１実施形態と異なる。
【００９３】
ただし、メニュー画面に関しては、カーナビゲーション装置１０３の画像データ記憶装置１３３に記憶されており、描画ＩＣ１３５によって読み出される。従って、カーナビゲーション装置１０３のタッチディスプレイ１３２にメニュー画面を表示する場合はもちろんのこと、後席表示装置１４１のタッチディスプレイ１４１にメニュー画面を表示する場合も、その表示を素早く行うことができる。
【００９４】
図１２は、描画ＩＣ１３５の内部構成を示すブロック図である。ＴＶチューナー１０１やＤＶＤプレーヤ１０２からの画像データは、基本的に通信ＩＣ１３７及びＣＰＵ１３６を介して表示コントローラ１５１に与えられる。表示コントローラ１５１は、与えられた画像データをビデオメモリ１５２に保存するとともに、その画像データに基づいて画像信号を生成し、ディスプレイ１３２に出力する。
【００９５】
図１３は、描画ＩＣ１４２の内部構成を示すブロック図である。描画ＩＣ１３５と同様に、画像データは、通信ＩＣ１４５及びＣＰＵ１４４を介して表示コントローラ１６１に与えられる。表示コントローラ１６１は、画像データをビデオメモリ１６３に保存するとともに、その画像データに基づいて画像信号を生成し、ディスプレイ１４１に出力する。
【００９６】
ただし、後席表示装置１０４にメニュー画面を表示する場合には、メニュー画面要求信号をカーナビゲーション装置１０３に送信することにより、専用線１０６及び通信回路１６０を介してメニュー画面を表示するための画像データを取得する。この場合、カーナビゲーション装置１０３では、選択回路１５３が画像データ記憶装置１３３からメニュー画面の画像データを読み出して後席表示装置１０４に向けて送信する。
【００９７】
また、カーナビゲーション装置１０３と後席表示装置１０４とは、相互に表示中の画面の種類を確認し合い、他方において表示中の画面と同じ画面の表示がユーザーによって指示された場合、一方の表示装置が他方の表示装置に送信要求を出力する。この場合、送信要求を受けた表示装置の描画ＩＣにおいて生成された画像信号を、送信要求を出力した表示装置に向けて専用線１０６を介して送信する。送信要求を出力した表示装置は、専用線１０６を介して画像信号を受信すると、表示コントローラが、そのままタッチディスプレイに出力する。
【００９８】
このように、共通の画面を表示する際には、一方の表示装置において生成された画像信号を利用して他方の表示装置においても表示を行なうことにより、表示のための処理を効率化することができる。
【００９９】
上述した第２実施形態によっても、カーナビゲーション装置１０３を単独で用いる場合、及び後席表示装置１０４と組み合せて用いる場合とも、車載用画像表示システムの構成を最適化することができる。さらに、専用線１０６を介してメニュー画面の画像データを送信するので、その表示を素早く行なうことができ、ユーザーの使い勝手の悪化を防止できる。
【０１００】
なお、上述した第２実施形態では、カーナビゲーション装置１０３の画像データ記憶装置１３３が、後席表示装置１０４のタッチディスプレイ１４１に表示するメニュー画面用の画像データも記憶するものであるが、後席表示装置１０４の内部に、メニュー画面用の画像データを記憶するメモリを設けても良い。この場合には、メニュー画面の画像データを専用線１０６を介して送信する必要がなくなり、カーナビゲーション装置１０３と後席表示装置１０４とで同じ画面を表示する際にだけ、画像データが専用線１０６を介して送信されることになる。
【図面の簡単な説明】
【０１０１】
【図１】本発明の第１実施形態における車載用画像表示システムの全体構成を示すブロック図である。
【図２】描画ＩＣ３５の内部構成を示すブロック図である。
【図３】描画ＩＣ４２の内部構成を示すブロック図である。
【図４】第１実施形態の車載用画像表示システムにおいて、カーナビゲーション装置のタッチディスプレイにおける表示画面を切り換える処理に関するフローチャートである。
【図５】第１実施形態の車載用画像表示システムにおいて、後席表示装置のタッチディスプレイにおける表示画面を切り換える処理に関するフローチャートである。
【図６】第１実施形態の車載用画像表示システムにおいて、カーナビゲーション装置が後席表示装置へ画像データを転送する処理に関するフローチャートである。
【図７】第１実施形態の車載用画像表示システムにおいて、カーナビゲーション装置からＴＶチューナ及びＤＶＤプレーヤを操作する処理に関するフローチャートである。
【図８】変形例における車載用画像表示システムの全体構成を示すブロック図である。
【図９】変形例の車載用画像表示システムにおいて、後席表示装置Ａの図示しないタッチディスプレイの表示画面を切り換える処理に関するフローチャートである。
【図１０】変形例の車載用画像表示システムにおいて、カーナビゲーション装置が後席表示装置Ａ及び後席表示装置Ｂへ画像データを転送する処理に関するフローチャートである。
【図１１】第２実施形態に係る車載用画像表示システムの全体構成を示すブロック図である。
【図１２】描画ＩＣ１３５の内部構成を示すブロック図である。
【図１３】描画ＩＣ１４２の内部構成を示すブロック図である。
【符号の説明】
【０１０２】
１…ＴＶチューナ
２…ＤＶＤプレーヤ
３…カーナビゲーション装置
３１…外部入力回路
３２…タッチディスプレイ
３３…画像データ記憶装置
３４…音声出力装置
３５…描画ＩＣ
３６…ＣＰＵ
３７…通信ＩＣ
４…後席表示装置
４１…タッチディスプレイ
４２…描画ＩＣ
４３…音声出力装置
４４…ＣＰＵ
４５…通信ＩＣ
５…車内ＬＡＮ
６…専用線
７…後席表示装置Ａ
８…後席表示装置Ｂ
【図１】
2005199998.tif 000003
【図２】
2005199998.tif 000004
【図３】
2005199998.tif 000005
【図４】
2005199998.tif 000006
【図５】
2005199998.tif 000007
【図６】
2005199998.tif 000008
【図７】
2005199998.tif 000009
【図８】
2005199998.tif 000010
【図９】
2005199998.tif 000011
【図１０】
2005199998.tif 000012
【図１１】
2005199998.tif 000013
【図１２】
2005199998.tif 000014
【図１３】
2005199998.tif 000015